(57)【要約】【課題】制御用機器の追加時における利便性を高めた照明装置を提供する。【解決手段】照明装置２００は、照明器具３と、人感センサ４、照度センサ５、照度人感センサ１９などの制御用機器とを備えている。照度人感センサ１９は、人感センサの機能を備える人感センサ部と照度センサの機能を備える照度センサ部とを備えている。コントローラ１および通信ユニット２は、機種種別情報およびアドレスと、制御用機器に設定する。コントローラ１は、既に持っている「人感センサ」という機種種別情報ｓ２および「照度センサ」という機種種別情報ｓ３を用いることにより、照度人感センサ１９の機種種別情報を設定し、ネットワーク上で照度人感センサ１９を認識する。【選択図】図１
2015230757.tif 000002
【特許請求の範囲】
【請求項１】
照明器具と、
前記照明器具と接続される制御用機器と、
前記照明器具および前記制御用機器と通信してそれぞれに機種種別情報およびアドレスを割り当てる制御手段と、
を備え、
前記制御用機器は、第１制御用機器、第２制御用機器、および第３制御用機器を含み、
前記第３制御用機器は、前記第１制御用機器と共通の機能および前記第２制御用機器と共通の機能を備え、複数の機種種別情報および複数のアドレスを保持可能であり、
前記第３制御用機器に、前記第１制御用機器と共通の第１機種種別情報と前記第２制御用機器と共通の第２機種種別情報とがそれぞれ設定され、
前記第１、２機種種別情報ごとに異なるアドレスを割り当てる照明装置。
【請求項２】
前記第１制御用機器が照度センサであり、前記第２制御用機器が人感センサであり、前記第３制御用機器が照度人感センサである請求項１に記載の照明装置。
【請求項３】
前記複数のアドレスの割り当てがいずれも前記制御手段で自動的に行われる請求項１または２に記載の照明装置。
【請求項４】
前記アドレスを手動で設定するための設定手段を備え、
前記複数のアドレスの割り当てがいずれも前記制御手段から手動で行われる請求項１または２に記載の照明装置。
【請求項５】
前記アドレスを手動で設定するための設定手段を備え、
前記複数のアドレスそれぞれの割り当てが、前記制御手段で自動的に行われる場合と前記設定手段により手動で行われる場合とを選択可能である請求項１または２に記載の照明装置。
【請求項６】
照明器具と、
前記照明器具と接続される制御用機器と、
前記照明器具および前記制御用機器と通信してそれぞれに機種種別情報およびアドレスを割り当てる制御手段と、
前記アドレスを手動で設定するための設定手段と、
を備え、
前記制御用機器が複数のアドレスを保持可能であり、
前記複数のアドレスのうち１つは前記制御手段で自動的に割り当てられ、前記複数のアドレスのうち他の１つは前記設定手段により手動で割り当て可能である照明装置。
【請求項７】
前記制御手段は、給電機能を有し信号線を介して前記照明器具および前記制御用機器と接続するコントローラを含む請求項１〜６のいずれか１項に記載の照明装置。
【発明の詳細な説明】
【技術分野】
【０００１】
本発明は、照明装置に関する。
【背景技術】
【０００２】
従来、例えば、特開２０１０−２１１９３８号公報に開示されているように、複数の照明器具、照度センサ、人感センサ、およびコントローラによってネットワーク状に構成された照明システムにおいて、それぞれの機器に個別にアドレスを設定するアドレス設定方法が知られている。この公報は、それぞれの機器に自動でアドレスを割り付ける技術も記載している。
【先行技術文献】
【特許文献】
【０００３】
【特許文献１】特開２０１０−２１１９３８号公報
【発明の概要】
【発明が解決しようとする課題】
【０００４】
上記従来の技術において、通信ユニットに信号線で接続される照度センサ、人感センサなどの制御用機器は、それぞれが独立した機器であり、それぞれに固有のアドレスが設定される。コントローラは、接続される制御用機器を１台ずつ別々に特定するために、機種種別情報及びアドレスの情報を持っている。
【０００５】
しかしながら、制御用機器の種別ごとに機種種別情報を設定することを必須条件とすると、新規種別の制御用機器を追加する際に機種種別情報の追加が必要となり、不便であるという問題があった。
【０００６】
本発明は、上述のような課題を解決するためになされたもので、制御用機器の追加時における利便性を高めた照明装置を提供することを目的とする。
【０００７】
また、自動的なアドレス割当を行う場合に、制御用機器の追加時に他の制御用機器が予期せずに外れていると、この外れていた制御用機器を再接続したときに追加した制御用機器との間でアドレスの競合が発生するという問題もあった。
【０００８】
本発明の他の目的は、制御用機器の追加時にアドレスの競合が生じるのを抑制することのできる照明装置を提供することである。
【課題を解決するための手段】
【０００９】
第１の発明にかかる照明装置は、照明器具と、前記照明器具と接続される制御用機器と、前記照明器具および前記制御用機器と通信してそれぞれに機種種別情報およびアドレスを割り当てる制御手段と、を備え、前記制御用機器は、第１制御用機器、第２制御用機器、および第３制御用機器を含み、前記第３制御用機器は、前記第１制御用機器と共通の機能および前記第２制御用機器と共通の機能を備え、複数の機種種別情報および複数のアドレスを保持可能であり、前記第３制御用機器に、前記第１制御用機器と共通の第１機種種別情報と前記第２制御用機器と共通の第２機種種別情報とがそれぞれ設定され、前記第１、２機種種別情報ごとに異なるアドレスが設定される。
【００１０】
第２の発明にかかる照明装置は、照明器具と、前記照明器具と接続される制御用機器と、前記照明器具および前記制御用機器と通信してそれぞれに機種種別情報およびアドレスを割り当てる制御手段と、前記アドレスを手動で設定するための設定手段と、を備え、前記制御用機器が複数のアドレスを保持可能であり、前記複数のアドレスのうち１つは前記制御手段で自動的に割り当てられ、前記複数のアドレスのうち他の１つは前記設定手段により手動で割り当て可能である。
【発明の効果】
【００１１】
第１の発明によれば、第３制御用機器に対して第１、２制御用機器の機種種別情報を流用することができるので、制御用機器の追加時における利便性が高められている。
【００１２】
第２の発明によれば、複数のアドレスの１つを手動割り当て用のアドレスとしたので、制御用機器の追加時にアドレスの競合が生じるのを抑制することができる。
【図面の簡単な説明】
【００１３】
【図１】本発明の実施の形態１にかかる照明装置を示すブロック図である。
【図２】本発明の実施の形態２にかかる照明装置を示すブロック図である。
【図３】本発明の実施の形態３にかかる照明装置を示すブロック図である。
【図４】本発明の実施の形態３にかかる照明装置を示すブロック図である。
【発明を実施するための形態】
【００１４】
実施の形態１．
図１は、本発明の実施の形態１にかかる照明装置２００を示すブロック図である。照明装置２００は、コントローラ１と、このコントローラ１に無線信号又は有線信号により通信を行う複数の通信ユニット２と、各通信ユニット２と接続する複数の照明ハードウェア１００、１０１と、ワイヤレスリモコン７と、パソコン設定器８とを備えており、これらが１まとまりの照明システムを構築している。コントローラ１および通信ユニット２は、本発明にかかる「制御手段」を構成している。
【００１５】
照明ハードウェア１００、１０１は、それぞれが１つ又は複数の照明器具３を備えている。照明器具３は、ＬＥＤあるいは有機ＥＬ素子を内蔵した光源モジュールと、その光源モジュールを点灯させる点灯装置を備えている。照明ハードウェア１００、１０１は、それぞれ「制御用機器」を備えている。「制御用機器」は、照明器具３の点灯制御に用いる各種センサおよび各種スイッチなどの機器からなる。具体的には、実施の形態１における制御用機器は、エリア内の人の存在を検知する人感センサ４、同じくエリア内の照度値を検知する照度センサ５、ランプの点灯をオンオフする壁スイッチ６、および照度人感センサ１９を含んでいる。照度人感センサ１９は、人感センサの機能を備える人感センサ部と照度センサの機能を備える照度センサ部とを備えている。
【００１６】
照明器具３、人感センサ４、照度センサ５、壁スイッチ６および照度人感センサ１９は、２線式シリアル通信で双方向通信を行う信号線２０を介して、通信ユニット２に接続される。コントローラ１は、壁スイッチ６の操作および人感センサ４で検知、モニタした照度値に応じて、照明器具３の点滅、調光状態を制御する。通信ユニット２は、コントローラ１と無線通信又は有線通信を行い、有線シリアル通信可能な信号線２０によって照明器具３、壁スイッチ６、照度センサ５及び人感センサ４と接続され、上位通信と下位通信のゲートウェイ機能をもつ。照明器具３は、調光信号線を介して受信したデータに従って、点灯／消灯または調光を行う。
【００１７】
人感センサ４は、通信ユニット２と信号線２０を介して有線通信可能に接続され、人の在／不在を検知して、検知情報をコントローラ１に通知する。照度センサ５は、通信ユニット２と信号線２０を介して有線通信可能に接続され、机上面の照度値を検知し、照度値情報をコントローラ１に通知する。壁スイッチ６は、通信ユニット２と信号線２０を介して有線通信可能に接続され、ボタンを押下されると、押下情報をコントローラ１に通知する。
【００１８】
ワイヤレスリモコン７は、無線通信によってコントローラ１および通信ユニット２と通信を行い、照明器具３の調光制御、状態モニタ、データ設定を行う。ワイヤレスリモコン７がコントローラ１と通信することで、ユーザの遠隔操作によってコントローラ１の機能などを設定することができる。パソコン設定器８は、無線通信又は有線通信によって、コントローラ１および通信ユニット２と通信を行い、照明器具３の調光制御、状態モニタ、データ設定をパソコン画面上から実施する。
【００１９】
照度人感センサ１９は、通信ユニット２と信号線２０を介して有線通信可能に接続され、搭載している照度センサ５で机上面の照度値を検知することができ、また、搭載している人感センサ４で人の在／不在を検知することができる。照度人感センサ１９は、照度値情報または検知情報をコントローラ１に送信する。
【００２０】
通信ユニット２には、構築したい照明ハードウェアに応じて、任意の個数の照明器具３、人感センサ４、照度センサ５、壁スイッチ６及び照度人感センサ１９を取り付けることができる。図１に示すように、照明ハードウェア１００では、１台の通信ユニット２にそれぞれ１台の制御用機器が接続されている。これに対し、照明ハードウェア１０１では、複数の照明器具３と、照度人感センサ１９が取り付けられている。これ以外にも様々な形態が可能であり、１台の通信ユニット２に同一種類の制御用機器を複数個接続してもよい。構築したい照明システムに応じて、照明装置２００の全体構成を任意に決めることができる。このような照明システムの構築に関しては特開２０１０−２１１９３８号公報に記載された公知技術を用いることができるので、ここではこれ以上の詳細は説明しない。
【００２１】
通信ユニット２は、無線信号又は有線信号にてコントローラ１より受信したデータ設定、モニタ及び点灯、消灯、調光等の制御信号を２線式有線シリアル信号に変換する機能を持っている。通信ユニット２は、複数の照明器具３、人感センサ４、照度センサ５、壁スイッチ６、および照度人感センサ１９それぞれに対して、１台毎に、整理番号となるアドレスａｄ１〜ａｄ１２を予め割り付ける。通信ユニット２は、アドレスの他に各機器にあらかじめ設定されている「機種種別情報」とともに、各機器に個別にデータ設定、モニタ及び制御を行うことができる。コントローラ１は、通信ユニット２の起動時に、照明器具３、人感センサ４、照度センサ５、壁スイッチ６および照度人感センサ１９のアドレスそれぞれを自動的に設定し、通信ユニット２に送信する。コントローラ１および通信ユニット２の具体的構成、および自動的なアドレス設定処理などの詳細は、特開２０１０−２１１９３８号公報に記載された公知技術を用いることができるので、ここではこれ以上の詳細は説明しない。
【００２２】
図１では、照明ハードウェア１００、１０１に含まれる制御用機器それぞれに、機種種別情報を示す記号ｓ１〜ｓ４と、固有のアドレスを示す記号ａｄ１〜ａｄ１２が割り振られている。具体的には、照明ハードウェア１００においては、照明器具３は機種種別情報ｓ１およびアドレスａｄ１を備えており、人感センサ４は機種種別情報ｓ２およびアドレスａｄ２を備えており、照度センサ５は機種種別情報ｓ３およびアドレスａｄ３を備えており、壁スイッチ６は機種種別情報ｓ４およびアドレスａｄ４を備えている。また、照明ハードウェア１０１においては、同じ機種である複数の照明器具３がそれぞれ機種種別情報ｓ１を備えるともに、複数の照明器具３それぞれを区別するためにアドレスａｄ７〜ａｄ１０が割り当てられている。
【００２３】
照度人感センサ１９は、照度センサおよび人感センサのハードウェアが一体化されて１つの部品となったものである。照度人感センサ１９に２つの機種種別情報ｓ２、ｓ３が設定されており、機種種別情報ｓ２は人感センサ４と同じものであり、機種種別情報ｓ３は照度センサ５と同じものである。照明ハードウェア１００の照度人感センサ１９は、２つのアドレスａｄ５、ａｄ６を持っており、これらはいずれも他のアドレス情報と競合しない固有のアドレスである。照明ハードウェア１０１の照度人感センサ１９も、２つのアドレスａｄ１１、ａｄ１２を持っており、これらも他のアドレス情報と競合しない固有のアドレスである。照度人感センサ１９は、内蔵メモリに、第１機種種別格納領域、第１アドレス格納領域、第２機種種別格納領域、および第２アドレス格納領域を備えている。それぞれの機種種別格納領域およびアドレス格納領域には、別々の内容を登録することができる。照度人感センサ１９の機種種別情報設定およびアドレスの登録については、照度センサ用の値と人感センサ用の２つの設定が個別に行われる。
【００２４】
実施の形態１のアドレス割当処理の一例を説明すると、下記に述べるように照度人感センサ１９に２つの機種種別情報ｓ２、ｓ３および２つのアドレスａｄ５，ａｄ６（もしくはａｄ１１、ａｄ１２）が自動的に設定されてもよい。具体的には、照度人感センサ１９が新たに照明ハードウェア１００に追加されると、その時点ではアドレス未設定の状態なので照度人感センサ１９、通信ユニット２、およびコントローラ１の間で初期設定用の通信が行われる。照度人感センサ１９は、まず１つ目のアドレス設定を行うために、アドレス設定要求信号および自己が「照度センサ」である旨の情報を、コントローラ１へと送信する。これらの信号を受け取ったコントローラ１は、既に照度センサ５に付与したのと同じ「照度センサ」である旨の機種種別情報ｓ３と、新たに設定した第１のアドレス（例えばアドレスａｄ６）を、照度人感センサ１９に送信する。これらの情報を受け取った照度人感センサ１９は、「照度センサ」という機種種別情報ｓ３を第１機種種別格納領域に記憶し、新たな第１のアドレス（例えばアドレスａｄ６）を第１アドレス格納領域に記憶する。これにより照度人感センサ１９における照度センサ部についてのネットワーク上の設定が完了する。
【００２５】
その一方で、照度人感センサ１９は、２つ目のアドレス設定を行うために、アドレス設定要求信号および自己が「人感センサ」である旨の情報を、コントローラ１へと送信する。これらの信号を受け取ったコントローラ１は、既に人感センサ４に付与したのと同じ機種種別情報ｓ２と、新たに設定した第２のアドレス（例えばアドレスａｄ５）を、照度人感センサ１９に送信する。これらの情報を受け取った照度人感センサ１９は、「人感センサ」という機種種別情報ｓ２を第２機種種別格納領域に記憶し、新たな第２のアドレス（例えばアドレスａｄ５）を第２アドレス格納領域に記憶する。これにより照度人感センサ１９における人感センサ部についてのネットワーク上の設定が完了する。
【００２６】
なお、照明ハードウェア１０１に照度人感センサ１９を追加するときにも機種種別情報は上記と同様にｓ２、ｓ３を流用する。ただし、アドレスは固有の値であるａｄ１１、ａｄ１２が割り当てられる。
【００２７】
コントローラ１は、照度人感センサ１９の追加時に、新たに「照度人感センサ」を意味する固有の機種種別情報を必要としない。その代わりに、コントローラ１は、既に持っている「人感センサ」という機種種別情報ｓ２および「照度センサ」という機種種別情報ｓ３を用いることにより、照度人感センサ１９の機種種別情報を設定し、ネットワーク上で照度人感センサ１９を認識する。照度人感センサ１９が照度センサ用および人感センサ用の独立した２つの機種種別情報および２つのアドレスを持つことで、機種種別情報ｓ２、ｓ３を人感センサ４、照度センサ５と同様に設定できるので、新たな機種種別情報を追加登録する必要なく、個別にデータ設定、モニタ及び制御を行うことができる。
【００２８】
なお、本発明は上述したように機種種別情報およびアドレスを自動的に設定する形態のみに限られるものではない。例えば、変形例として、照度人感センサ１９の２つの機種種別情報および２つのアドレスの設定方法を、自動設定と手動設定との間で切り替え可能としてもよい。手動設定は、ワイヤレスリモコン７あるいはパソコン設定器８で機種種別情報およびアドレスの設定操作をするものである。ワイヤレスリモコン７およびパソコン設定器８は、これらの設定を手動で行うための「設定手段」に相当する。自動設定と手動設定の切り替えは、設定モードを自動設定とするか手動設定とするかの切り替え信号を、ワイヤレスリモコン７あるいはパソコン設定器８により通信ユニット２に送信することで実現すればよい。また、他の変形例として、２つの機種種別情報および２つのアドレスの設定を常に手動で行わせるようにしてもよい。
【００２９】
なお、上記実施の形態１では、照度人感センサ１９が複数の機種種別情報および複数のアドレスを有するものとしたが、本発明はこれに限られない。照明に関連する様々な制御用機器を対象にして変形が可能であり、互いに異なる機能を有する第１、２制御用機器があり、この２種類の制御用機器を１つのハードウェアとして提供した第３制御用機器があるとする。この場合に、第３制御用機器は、第１制御用機器と共通の第１機能部と第２制御用機器と共通の第２機能部とを備える。この第１機能部に第１制御用機器と共通の機種種別情報を設定し、第２機能部に第２制御用機器と共通の機種種別情報を設定し、第１機能部と第２機能部に異なるアドレスを割り当てればよい。
【００３０】
また、上記実施の形態１では、２種類の制御用機器を１つのハードウェアとして提供した場合について説明したが、他にも、「照明器具３に人感センサ４を内蔵させた人感センサ付照明器具」あるいは「照明器具３に照度センサ５を内蔵させた人感センサ付照明器具」が提供されてもよい。このような形態の照明装置は、「照明器具と、前記照明器具と接続される制御用機器と、前記照明器具と共通の機能および前記制御用機器と共通の機能を有する機器一体化照明器具と、前記照明器具、前記制御用機器、および前記機器一体化照明器具と通信してそれぞれに機種種別情報およびアドレスを割り当てる制御手段と、を備え、前記機器一体化照明器具は、複数の機種種別情報および複数のアドレスを保持可能であり、前記機器一体化照明器具に、前記照明器具と共通の第１機種種別情報と前記制御用機器と共通の第２機種種別情報とがそれぞれ設定され、前記第１、２機種種別情報ごとに異なるアドレスを割り当てる照明装置」として提供されてもよい。
【００３１】
なお、本発明で特定の１つの制御用機器（実施の形態１では照度人感センサ１９）に持たせる機種種別情報およびアドレスそれぞれの個数は２つに限られない。例えば３つの機能を一体化した制御用機器に対しては、３つ以上の機種種別情報および３つ以上のアドレスを設定可能としてもよい。
【００３２】
実施の形態２．
図２は、本発明の実施の形態２にかかる照明装置２１０を示すブロック図である。実施の形態２は、照度人感センサ１９に２つのアドレスを設定および保持可能である点は上記実施の形態１と同じであるが、その２つのアドレスをどのように使うかが異なっている。
【００３３】
実施の形態２では、上記実施の形態１とは異なり、コントローラ１には「照度人感センサ」を意味する固有の機種種別情報である「ｓ１０」が追加登録されている。実施の形態２では照度人感センサ１９に対してこの「照度人感センサ」という機種種別情報ｓ１０を設定する。
【００３４】
図２のブロック図に示すように、照度人感センサ１９の２つのアドレス格納領域のうち一つには、通信ユニット２が起動した時に自動的にアドレスを設定する。具体的には、図２に示すように、照明ハードウェア１００の照度人感センサ１９にはアドレスａｄ５が自動的に設定されている。なお、照度人感センサ１９が有するもう一つのアドレス格納領域は「アドレス未設定」の状態となっている。
【００３５】
これに対し、照明ハードウェア１０１の照度人感センサ１９については、自動設定は行わずに、手動設定によりアドレスａｄ１２の割当てを行う。手動割当は、ワイヤレスリモコン７あるいはパソコン設定器８を用いてユーザ自身が手動でアドレス設定操作をするものである。追加接続用のアドレス格納領域に対するアドレス割当を自動割当にするか手動割当にするかの切り替えは、ワイヤレスリモコン７あるいはパソコン設定器８で通信ユニット２に送信し、設定モードを選択的に切り替られるようにすればよい。
【００３６】
通信ユニット２が自動的にのみアドレス割当を行う場合、既にアドレスが割り当てられている状態で１台の制御用機器の接続が外れていると、新しい制御用機器を追加するときに通信ユニット２は接続が外れていた制御用機器のアドレスが自動的に割り当てられる。この自動的なアドレス割当後に、接続が外れていた制御用機器が元通りに接続された場合、同じアドレスが２つ存在し、アドレスの競合が起きて適切な制御を行えないという問題がある。
【００３７】
この点、照明装置２１０によれば、一つの制御用機器に２つのアドレス格納領域を持たせ、一方のアドレスを自動割当用にし、他方のアドレスを手動割当用にする。手動割当用のアドレスには予期せずに他の制御用機器と同じアドレスが自動的に割り当てられることがなく、制御用機器を追加する際に手動でアドレス割当を行うことができる。コントローラ１は、この手動割当されたアドレスを認識することで、他の制御用機器と照度人感センサ１９とを確実に区別することが可能となる。
【００３８】
実施の形態３．
図３は、本発明の実施の形態３にかかる照明装置２２０を示すブロック図である。実施の形態１、２では、通信ユニット２が有する給電機能を利用するために、照明器具３、人感センサ４などを通信ユニット２に接続し、通信ユニット２を介してコントローラ１との通信を行っている。これに対し、実施の形態３ではコントローラ１１が給電機能を備えているので、通信ユニット２を省略している。このように、照明器具３、人感センサ４、照度センサ５、壁スイッチ６および照度人感センサ１９がそれぞれ信号線２０を介してコントローラ１１と直接に接続してもよい。コントローラ１１は、コントローラ１が担っていたアドレス設定などの機能を同様に備える。なお、実施の形態３の変形例として、このコントローラ１１を実施の形態２にかかる照明装置２１０と組み合わせて、図４に示す照明装置２３０を提供してもよい。
【符号の説明】
【００３９】
１、１１  コントローラ、２  通信ユニット、３  照明器具、４  人感センサ、５  照度センサ、６  壁スイッチ、７  ワイヤレスリモコン、８  パソコン設定器、１９  照度人感センサ、２０  信号線、１００、１０１  照明ハードウェア、２００〜２３０  照明装置、ａｄ１〜ａｄ１２  アドレス、ｓ１〜４、ｓ１０  機種種別情報
【図１】
2015230757.tif 000003
【図２】
2015230757.tif 000004
【図３】
2015230757.tif 000005
【図４】
2015230757.tif 000006